(57)【要約】【課題】クリーニング部材と感光体ドラムの当接部に加わるトナーによる圧力を抑え、クリーニング性能の高いプロセスカートリッジを提供すること。【解決手段】スクイシートの重力方向上側には、現像剤回収容器内において除去、貯留された現像剤の粉圧により重力方向上から下に押す力が、スクイシートに伝わるのを緩和する機能を有する封止補助部材を有する。【選択図】図３
2019128504.tif 000002
【特許請求の範囲】
【請求項１】
転写後の電子写真感光体上の残留現像剤を電子写真感光体から除去するクリーニング部材と、
除去した現像剤を貯留する現像剤回収容器と、
貯留した現像剤が現像剤回収容器と電子写真感光体との間から外部に漏洩するのを防止するために電子写真感光体と現像剤回収容器間の隙間を封止する封止部材と、
を備えた電子写真画像形成装置のクリーニング装置において、
前記封止部材の重力方向上側には、現像剤回収容器内において除去、貯留された現像剤の粉圧により重力方向上から下に押す力が、前記封止部材に伝わるのを緩和する機能を有する封止補助部材を有することを特徴とする電子写真画像形成装置のクリーニング装置。
【請求項２】
転写後の電子写真感光体上の残留現像剤を電子写真感光体から除去するクリーニング部材と、
除去した現像剤を貯留する現像剤回収容器と、
貯留した現像剤が現像剤回収容器と電子写真感光体との間から外部に漏洩するのを防止するために電子写真感光体と現像剤回収容器間の隙間を封止する封止部材と、
を備えた電子写真画像形成装置のクリーニング装置において、
前記封止部材の重力方向上側には、現像剤回収容器内において除去、貯留された現像剤の粉圧により重力方向上から下に押す力が、前記封止部材に伝わるのを緩和する機能と
電子写真感光体の表面の移動方向下流から逆流した現像剤の粉圧により重力方向上から下に押す力が、封止部材に伝わるのを緩和する機能とを有する封止補助部材
を有することを特徴とする電子写真画像形成装置のクリーニング装置。
【請求項３】
現像剤回収容器内において除去、貯留された現像剤の粉圧により重力方向上から下に押す力が、前記封止部材に伝わるのを緩和する機能と
電子写真感光体の表面の移動方向下流から逆流した現像剤の粉圧により重力方向上から下に押す力が、前記封止部材に伝わるのを緩和する機能との
２つの機能を有する前記封止補助部材は２つの部材に分かれていても良い
ことを特徴する請求項２に記載の電子写真画像形成装置のクリーニング装置。
【請求項４】
前記封止補助部材は弾性体であることを特徴する請求項１乃至請求項３の何れか一項に記載の電子写真画像形成装置のクリーニング装置。
【請求項５】
現像剤回収容器内に除去した現像剤を現像剤回収容器外に搬送する現像剤搬送部材を設けたことを特徴とする請求項１乃至請求項４の何れか一項に記載の電子写真画像形成装置のクリーニング装置。
【請求項６】
転写後の電子写真感光体上の残留現像剤を電子写真感光体から除去するクリーニング部材と、
除去した現像剤を貯留する現像剤回収容器と、
貯留した現像剤が現像剤回収容器と電子写真感光体との間から外部に漏洩するのを防止するために電子写真感光体と現像剤回収容器間の隙間を封止する封止部材と、
を備えた電子写真画像形成装置のクリーニング装置において、
電子写真感光体から見て前記封止部材よりも遠い位置にあって、一端部が現像剤回収容器、または封止部材、または封止補助部材に固定されて配置される第一の封止補助部材と、
電子写真感光体から見て前記逆流防止部材よりも遠い位置にあって、一端部が現像剤回収容器に固定され、もう一端部は自由端であって、該自由端は電子写真感光体の表面の移動方向下流側を向いて、電子写真感光体に近接して配置される第二の封止補助部材と、
を有することを特徴とする電子写真画像形成装置のクリーニング装置。
【請求項７】
前記第一の封止補助部材と前記第二の封止補助部材は１つの部材であることを特徴する請求項６に記載の電子写真画像形成装置のクリーニング装置。
【請求項８】
前記封止補助部材は弾性体であることを特徴する請求項６又は請求項７に記載の電子写真画像形成装置のクリーニング装置。
【請求項９】
現像剤回収容器内に除去した現像剤を現像剤回収容器外に搬送する現像剤搬送部材を設けたことを特徴とする請求項６乃至請求項８の何れか一項に記載の電子写真画像形成装置のクリーニング装置。
【発明の詳細な説明】
【技術分野】
【０００１】
本発明は、プロセスカートリッジおよびこれを用いた画像形成装置に関する。
【０００２】
ここで、プロセスカートリッジとは、感光体ドラムと、この感光体ドラムに作用するプロセス手段とを一体的にカートリッジ化して、電子写真画像形成装置本体に対して取り外し可能に装着されるものである。例えば、感光体ドラムと、前記プロセス手段としての、現像手段、帯電手段、クリーニング手段の少なくとも一つを一体的にカートリッジ化したものが挙げられる。また、電子写真画像形成装置とは電子写真画像形成方式を用いて記録媒体に画像を形成するものである。
【０００３】
電子写真画像形成装置の例としては、例えば、電子写真複写機、電子写真プリンタ（ＬＥＤプリンタ、レーザビームプリンタ等）、ファクシミリ装置及びワードプロセッサ等が含まれる。
【背景技術】
【０００４】
電子写真画像形成装置（以下、単に「画像形成装置」ともいう。）では、像担持体としての一般にドラム型とされる電子写真感光体、即ち、感光体ドラムを一様に帯電させる。次いで、帯電した感光体ドラムを選択的に露光することによって、感光体ドラム上に静電潜像（静電像）を形成する。次いで、感光体ドラム上に形成された静電潜像を、現像剤としてのトナーでトナー像として現像する。そして、感光体ドラム上に形成されたトナー像を、記録用紙、プラスチックシートなどの記録材に転写し、更に記録材上に転写されたトナー像に熱や圧力を加えることでトナー像を記録材に定着させることで画像記録を行う。
【０００５】
このような画像形成装置は、一般に、トナー補給や各種のプロセス手段のメンテナンスを必要とする。このトナー補給やメンテナンスを容易にするために、感光体ドラム、帯電手段、現像手段、クリーニング手段などを枠体内にまとめてカートリッジ化し、画像形成装置本体に着脱可能なプロセスカートリッジとしたものが実用化されている。
【０００６】
このプロセスカートリッジ方式によれば、装置のメンテナンスをユーザ自身で行うことができるので、格段に操作性を向上させることができ、ユーザビリティーに優れた画像形成装置を提供することができる。そのため、このプロセスカートリッジ方式は画像形成装置において広く用いられている。
【０００７】
また上述したプロセスカートリッジには、クリーニング手段により感光体ドラム表面から回収された回収トナーを廃トナー室内に封止する必要性が生じる場合がある。この回収トナーを封止する手段としては特許文献１に記載されるようなスクイシートを用いる構成が知られる。
【先行技術文献】
【特許文献】
【０００８】
【特許文献１】特開平９−９０６９４号公報
【発明の概要】
【発明が解決しようとする課題】
【０００９】
しかしながら、クリーニング枠体内に蓄積した回収トナーによりスクイシートと感光ドラムの当接部との当接圧が高まり、回収トナーが感光ドラムとスクイシートの当接部を通過できないことでボタ落ちが発生することがあった。
【００１０】
本出願に係る発明の目的は、スクイシートにかかる回収トナーの圧力を抑え、トナーがボタ落ちするのを防ぐクリーニング装置を備えたプロセスカートリッジを提供することにある。
【課題を解決するための手段】
【００１１】
上記の目的を達成するために、本発明に係るクリーニング装置は、
転写後の電子写真感光体上の残留現像剤を電子写真感光体から除去するクリーニング部材と、
除去した現像剤を貯留する現像剤回収容器と、
貯留した現像剤が現像剤回収容器と電子写真感光体との間から外部に漏洩するのを防止するために電子写真感光体と現像剤回収容器間の隙間を封止する封止部材と、
を備えた電子写真画像形成装置のクリーニング装置において、
前記封止部材の重力方向上側には、現像剤回収容器内において除去、貯留された現像剤の粉圧により重力方向上から下に押す力が、前記封止部材に伝わるのを緩和する機能を有する封止補助部材を有することを特徴とする。
【発明の効果】
【００１２】
本発明に係るクリーニング装置によれば、プロセスカートリッジにおいてスクイシートにかかる回収トナーの圧力を抑え、クリーニング性能を向上させることができる。
【図面の簡単な説明】
【００１３】
【図１】本発明を適用可能な第１の実施例に係る電子写真画像形成装置の画像形成装置本体及びプロセスカートリッジの断面図である。
【図２】本発明を適用可能な第１の実施例に係るプロセスカートリッジの断面図である。
【図３】本発明を適用可能な第１の実施例に係るプロセスカートリッジのクリーニング容器内部の断面図である。
【図４】従来例に係るプロセスカートリッジのクリーニング容器内部の断面の拡大図である。
【図５】（ａ）、（ｂ）は本発明を適用可能な第１の実施例に係るプロセスカートリッジのクリーニング容器内部の断面の拡大図である。
【図６】（ａ）はスクイシートのひずみ測定時のセンサー貼り付けのイメージ図、（ｂ）は第１の実施例に係る印刷開始後のスクイシートのひずみの変化である。
【図７】（ａ）は本発明を適用可能な第２の実施例に係るプロセスカートリッジのクリーニング容器内部の断面の拡大図、（ｂ）は第２の実施例に係る印刷開始後のスクイシートのひずみの変化である。
【図８】本発明を適用可能な第２の実施例に係るプロセスカートリッジのクリーニング容器内部の断面の拡大図である。
【発明を実施するための形態】
【００１４】
以下、本発明の実施の形態について、図面を参照しながら詳細に説明する。
【実施例１】
【００１５】
図１を用いて全体構成および画像形成プロセスについて説明する。
【００１６】
図１は、本発明の一実施の形態である電子写真画像形成装置の画像形成装置本体（以下、装置本体Ａと記載する）及びプロセスカートリッジ（以下、カートリッジＢと記載する）の断面図である。ここで、装置本体Ａとは、電子写真画像形成装置からカートリッジＢを除いた部分である。なお、感光体ドラムの回転軸線方向を長手方向とする。
【００１７】
＜画像形成プロセス＞
次に、画像形成プロセスの概略を説明する。図１に示すようにプリントスタート信号に基づいて、感光体ドラム１（以下、ドラム１と記載する）は矢印Ｒ方向に所定の周速度（プロセススピード）をもって回転駆動される。バイアス電圧が印加された帯電ローラ２は、ドラム１の外周面に接触し、ドラム１に従動し、ドラム１の外周面を一様均一に帯電する。露光装置３は、画像情報に応じたレーザ光Ｌを出力する。そのレーザ光Ｌはドラム１の外周面を走査露光する。これにより、ドラム１の外周面には画像情報に対応した静電潜像が形成される。
【００１８】
一方、図１に示すように、現像装置としての現像ユニット４において、トナー室５内のトナーＴは、第１搬送部材６、第２搬送部材７の回転によって撹拌、搬送され、トナー供給室８に送り出される。トナーＴは、マグネットローラ９（固定磁石）の磁力により、現像ローラ１０の表面に担持される。トナーＴは、現像ブレード１１によって、摩擦帯電されつつ現像ローラ１０周面上での層厚が規制される。そのトナーＴは、静電潜像に応じてドラム１へ現像され、トナー像として可視像化される。
【００１９】
また、図１に示すように、レーザ光Ｌの出力タイミングとあわせて、シートトレイ１２から送り出されるシート材Ｐが、ドラム１と転写ローラ１３との間の転写位置へ搬送される。この転写位置において、トナー像はドラム１からシート材Ｐに順次転写されていく。
トナー像が転写されたシート材Ｐは、ドラム１から分離されて定着装置１４に搬送される。そしてシート材Ｐは、定着装置１４を通過する際に加圧・加熱定着処理が行われてトナー像はシート材Ｐに定着される。トナー像の定着処理を受けたシート材Ｐは、排出トレイ１５に排出される。
【００２０】
一方、図１に示すように、転写後のドラム１は、クリーニング部材１６により外周面上の残留トナーが除去されて、再び、画像形成プロセスに使用される。ドラム１から除去されたトナーは搬送部材であるスクリュー１７によって、クリーニングユニット１８の廃トナー室１９に貯蔵される。
【００２１】
上記において、帯電ローラ２、現像ローラ１０、転写ローラ７、クリーニング部材７７がドラム１に作用するプロセス手段である。
【００２２】
＜カートリッジ全体の構成＞
次にカートリッジＢの全体構成について図２を用いて説明する。
【００２３】
カートリッジＢは、クリーニングユニット１８と、現像ユニット４を有する。現像ユニット４は、図２に示すように、現像ブレード１１、現像ローラ１０、第１搬送部材６、第２搬送部材７からなる。また現像ローラ１０、第１搬送部材６、第２搬送部材７は画像形成装置本体の（不図示の）駆動源１から（不図示の）ギヤを介して駆動を伝達され、回転可能に取り付けられている。そして、現像ローラ１０の両端部に取り付けられた（不図示の）間隔保持部材２２によって、現像ローラ１０はドラム１から所定の間隔をもって保持される。
【００２４】
一方、クリーニングユニット１８は、ドラム１と、帯電ローラ２と、クリーニング部材１６と、スクリュー１７と、スクイシート２０と、を有する。クリーニングユニット１８において、帯電ローラ２、クリーニング部材１６、スクイシート２０は、それぞれドラム１の外周面に接触して配置される。また、ドラム１への接触位置は、ドラム１の重力方向最上端部に対して、ドラム１の回転方向下流側に１０°の位置でクリーニング部材、上流側１０°の位置でスクイシート２０が接触している。クリーニング部材１６は、弾性材料としてのゴムで形成されたブレード状の弾性部材であるゴムブレード１６ａと、ゴムブレード１６ａを支持する支持部材１６ｂと、を有する。クリーニング部材１６は、ドラム１の回転方向に対してカウンター方向に、ドラム１に当接している。即ち、ゴムブレード１６ａは、その先端部がドラム１の回転方向の上流側を向くようにドラム１に当接している。当接位置におけるドラム１の外周面とゴムブレード１６ｂとの成す角は２１°であり、ドラム１の外周面に対して１．０ｍｍの幅でゴムブレード１６ａが侵入するように配置されている。またドラム１は画像形成装置本体の（不図示の）駆動源２、スクリュー１７は駆動源１から駆動ギアを介して駆動を伝達され、回転可能に取り付けられている。
【００２５】
＜クリーニング部詳細＞
次に、図３を用いてクリーニングが行われる部分の詳細について説明する。
【００２６】
図３は、カートリッジＢのクリーニングに関わる構成を長手方向から見た断面を示した図である。
【００２７】
図３に示すように、感光体ドラム１の回転軸線とスクリュー１７の回転軸線が平行になるように配置される。スクリュー１７は、回転軸１７ａと、該回転軸１７ａの外側に設けられる螺旋羽根１７ｂを備える。また、スクリュー１７は、重力方向から見て感光体ドラム１の上に配置される。スクリュー１７は感光体ドラムの回転方向Ｒに対して、逆方向のＳの方向に回転している。
【００２８】
クリーニング部材１６の上流側には、硬質のシール台２３に貼り付られた可撓性スクイシートであるスクイシート２０が感光体ドラム１に所定の圧力と角度で接するように配置されている。シート台４は廃トナー室１９に固定されている。クリーニング部材１６によってかき落とされた回収トナーＴは、スクイシート２０により廃トナー室１９から漏れ出ることなく捕集される。
【００２９】
上記構成においてスクイシート２０の感光体ドラム１の当接圧の上限値は、スクイシート２０の上流側から感光体ドラム１に密着して侵入してくる転写後残留トナーはかき取ることなく通過させる限度内で決定され、一方当接圧の下限値はクリーニング部材１６によって感光体ドラム１からかき落とされてスクイシート２０の下流側からトナー回収容器外へと漏れ出ようとする回収トナーは漏らすことがない範囲内という条件で決定される。さらに、スクイシート２０の当接圧の上限値にはもう１つの条件があり、スクイシート２０のエッジや、エッジと感光体ドラム１間にはさまった紙粉や塵埃等が感光体ドラム１の表面に傷をつけないように、ある所定の値以下であることが必要である。
【００３０】
転写後のドラム１の表面に残存したトナーは、スクイシート２０を通過して、クリーニング部材１６によりドラム１から掻き取られる。クリーニング部材１６により掻き取られたトナーは、スクイシート２０、ドラム１、クリーニング部材１６上に蓄積される。蓄積されたトナーの上面がスクリュー１７に接触する高さに達した時、スクリュー１７の回転動作に伴い螺旋羽根１７ｂによって蓄積されたトナーが長手方向に搬送される。長手方向に搬送されたトナーは（不図示の）搬送部材によって廃トナー室１９へ搬送される。
【００３１】
次に、本実施例の効果について、従来例と本実施の形態１を比較して説明する。
【００３２】
図４は、従来例に係るクリーニング容器内部の拡大図である。
【００３３】
従来、図４（ａ）に示したように転写部位において発生した転写後残留トナーＴは感光体ドラム１の表面に付着したまま感光体ドラム１とスクイシート２０の接点に感光体ドラム１の周面の移動方向上流側（矢印Ｒ方向）から接近する。この時スクイシート２０は、感光体ドラム１の周面の移動方向に対し図示のごとく先端側が下流側になるように順方向に当接されており、かつ、その感光体ドラム１への当接力も前記上流側より侵入してくる転写後残留トナーを通過させられる限度以下に小さく設定されているので、転写後残留トナーはスクイシート２０によってはかき取られることなく接点を通過する。次に、転写後残留トナーはクリーニング部材１６により感光体ドラム１の表面からかき落とされ、その転写後残留トナーは感光体ドラムと廃トナー容器間の隙間は前記スクイシートによって封止され、トナー漏れを起こすことなく廃トナー室１９の内部に回収トナーとして貯蔵される。回収トナーは図４（ｂ）に示した通り、廃トナー室１９の重力方向下側から徐々に積み上がってき、スクリューの下面に到達するまで積み上がっていく。そして、回収トナーはスクリューにより廃トナー室の奥側へ搬送される。
【００３４】
ここで図４（ｃ）に示すように、回収トナーの量が増えてきた場合、回収トナーの粉圧により、スクイシートを感光体ドラム１の方向に押しつける重力方向下側にかかる力Ｆが働くようになる。このような現象が進行すると、スクイシートの感光ドラムへの侵入角が立ち上がり、スクイシートと感光ドラムの当接ニップ（２つの部材が接触する面積）が増加し、スクイシートは感光体ドラム１の表面に当初の設定値より強い当接圧で当たることになる。この結果、転写後残留トナーＴが感光ドラムとスクイシートの当接ニップを通過できなくなり、転写後残留トナーＴがスクイシートと感光ドラムの当接ニップの感光ドラム回転方向上流側の位置（廃トナー容器の外側）に、廃トナー容器内に回収されていない状態で蓄積される。その後、廃トナー容器の外側に蓄積されたトナーは、駆動や外的な振動によってトナーのボタ落ちが発生することがあった。
【００３５】
続いて本実施の形態１を説明する。本実施の形態１によれば、スクイシートにかかる回収トナーの圧力を抑え、クリーニング性能を向上させることができる。
【００３６】
図５（ａ）は、第１の実施例に係るクリーニング容器内部の拡大図である。
【００３７】
本実施の形態１においては、スクイシートよりも感光体ドラムから遠い位置に圧力障壁を設けている。スクイシート２０は、長さ７ｍｍ（内、自由長は５ｍｍ）、厚さ３８μｍのポリエチレンテレフタレート製であり、スクイシート２０は感光体ドラム１に対して１ｍｍの侵入量（感光体ドラム１を除くと弾性で感光体ドラム１の空間へ移動する量）を持って当接されている。
【００３８】
一方、圧力障壁２４の形状は、スクイシートの固定端より出っ張った凸形状であり、廃トナー容器の壁面に対してクリーニング部材に向けた垂直方向の長さが４ｍｍ、壁面に対して水平方向の長さ（厚さ）が６ｍｍの部材とした。また、圧力障壁２４の材料は、重力方向上側の回収トナーの重量を支えることが出来れば、剛体でも弾性体でも、シートでも良いが、ここではスポンジ製の部材とした。圧力障壁２４の位置は、圧力障壁の自由端がスクイシートよりも短く、スクイシートに接触しないように３ｍｍ離間して配置した。
【００３９】
圧力障壁の長さは、スクイシートと感光ドラムの当接ニップにかかる回収トナーの重さを支えられるような長さであれば、どの長さでも良い。しかしながら、長すぎた場合、スクイシートと感光ドラムの当接ニップと圧力障壁との間に回収トナーが侵入して、侵入した回収トナーがスクイシート当接圧を高めること想定されるため、当接ニップの重力方向上側を圧力障壁が覆わないような長さにすることが好ましい。
【００４０】
図５（ｂ）は、第１の実施例において、回収トナーを貯蔵した場合のクリーニング容器内部の拡大図である。
【００４１】
廃トナー室１９の内部に回収トナーＴが貯蔵された場合でも、圧力障壁２４の重力方向上側に廃トナーが積み上がっていくのみであり、回収トナーＴがスクイシート２０を重力方向下側（感光体ドラム１方向）へ押し付け、スクイシート２０と感光体ドラム１との当接力が当初の設定圧より高くなることはない。
【００４２】
このようにして、スクイシート２０の動きが妨げられることはなく撓むことができるため、回収トナーがボタ落ちすることはない。
【００４３】
図６（ｂ）は廃トナー回収前後におけるスクイシートの変形を表したデータである。
【００４４】
図６（ａ）に示すように、スクイシートの変形を計測する為に、スクイシートのスクリュー１７と対向する位置に、ひずみゲージ２１（ＫＹＯＷＡ製ＫＦＧ−６−１２０−Ｃ１−１１Ｌ３Ｍ３Ｒ）を接着剤で張り付けている。上記ひずみゲージ２１の出力値の変化量で、スクイシートの変形量を測定している。図６（ｂ）の横軸は時間、縦軸はひずみゲージ２１の出力値であり、０秒の時点で印刷動作を開始している。図６から、印刷動作の開始１０分後からスクイシートは変形を始め、印刷動作の開始から４０分後にスクイシートの挙動が安定していることが分かる。
【００４５】
表１は従来例と実施例１のボタ落ちによる画像上の黒ポチのレベルを比較したものである。
【００４６】
【表１】
2019128504.tif 000003
【００４７】
通常、高温高湿環境では現像ローラ１０上のトナーの帯電性が低下する為、ドラム１上のトナーの電荷量が低下し、転写ローラへのトナーの転写効率が低下する。転写効率が低下することでクリーニングユニットへ回収されるトナー量は増加する。
【００４８】
検討条件は、雰囲気温湿度が温度３０℃湿度８０％の高温高湿度環境下で、印字率３０％のハーフトーン画像を５００００枚通紙した後に、ハーフトーン画像を通紙した時の黒ポチのレベルを記載している。
【００４９】
表１から、比較例で黒ポチが発生していたのに対して、実施例１の構成にすることでスクイシートからのボタ落ちによる黒ポチが改善された。
【００５０】
以上から、スクイシートにかかる回収トナーの圧力を抑えることで、クリーニング性能の高いプロセスカートリッジを提供することができる。
【００５１】
なお、本実施例に記載されている構成部品の機能、材質、形状、回転方向、その相対配置などは、特に特定的な記載がない限りは、この発明の範囲をそれらのみに限定する趣旨のものではない。またトナーを封止する装置であればよく、プロセスカートリッジに限定するものではない。
【実施例２】
【００５２】
次に、本発明に係る実施の形態２について説明する。
【００５３】
図７は実施の形態２を示すクリーニング装置の縦断面図である。ここで符号は実施の形態１と共通する部品は同じ符号をつけてある。本実施の形態２において、圧力障壁は、感光体ドラム１の周面の移動方向に対し先端側が傾斜した角度で配置され、自由端におけるスクイシートとの距離の方が、固定端におけるスクイシートと距離よりも狭く配置されている。
【００５４】
スクイシート２０は、長さ７ｍｍ（内、自由長は５ｍｍ）、厚さ３８μｍのポリエチレンテレフタレート製であるのに対し、圧力障壁２４は、長さ９ｍｍ（内、自由長は７５ｍｍ）、厚さ１００μｍのポリエチレンテレフタレート製とした。さらに、スクイシート２０と圧力障壁２４とで挟まれた空間には、厚さ５ｍｍのモルトプレンが、圧力障壁２４の重力方向下側の面に両面テープによって貼り付けられている。
【００５５】
実施例２では実施例１と異なり、スクイシートと感光ドラムの当接ニップの重力方向上側を圧力障壁が覆うような長さに設定した。実施例２のような構成の場合、モルトプレンによって、スクイシートと圧力障壁との間への回収トナーの侵入が防がれるので、こちらも回収トナーＴがスクイシート２０を感光体ドラム１方向へ押し付け、スクイシート２０と感光体ドラム１との当接力が当初の設定圧より高くなることはないためである。
【００５６】
以上ような構成により、スクイシートにかかる回収トナーの圧力を抑えることで、クリーニング性能の高いプロセスカートリッジを提供することができた。
【実施例３】
【００５７】
次に、本発明に係る実施の形態２について説明する。
【００５８】
図８は実施の形態２を示すクリーニング装置の縦断面図である。ここで符号は実施の形態１と共通する部品は同じ符号をつけてある。本実施の形態２において、圧力障壁２４は廃トナー容器１９の一部からなる。このような構成の場合、廃トナー容器１９と圧力障壁２４とを別部材で構成する必要がなく、別々の部品を接着する必要がなくなるため、より好ましい構成と考えられる。
【００５９】
また、廃トナー容器１９の一部から伸びている圧力障壁２４の固定端と自由端の有する角度が、トナーの安息角以上の角度を持っている。このような構成であることにより、回収トナーＴの量が増えて、その重量により圧力障壁２４に圧力がかかった場合でも、圧力障壁２４が回収トナーＴの重量を支えることができ、回収トナーがボタ落ちすることはない。
【符号の説明】
【００６０】
１  ドラム（感光体ドラム）、２  帯電ローラ、
３  露光装置（レーザスキャナユニット）、４  現像ユニット、
５  トナー室、６  第１搬送部材、７  第２搬送部材、８  トナー供給室、
９  マグネットローラ、１０  現像ローラ、１１  現像ブレード、
１２  シートトレイ、１３  転写ローラ、１４  定着装置、１５  排出トレイ、
１６  クリーニング部材、１６ａ  ゴムブレード、１６ｂ  支持部材、
１７  スクリュー、１７ａ  回転軸、１７ｂ  螺旋羽根、
１８  クリーニングユニット、１９  廃トナー室、２０  スクイシート、
２２  間隔保持部材、２３  シート台、２４  圧力障壁、２５  弾性体、
Ａ  画像形成装置本体（装置本体）、Ｂ  プロセスカートリッジ（カートリッジ）、
Ｆ  方向、Ｈ  領域、Ｌ  レーザ光、Ｐ  シート材（記録媒体）、Ｒ  回転方向、
Ｓ  回転方向、Ｔ  トナー（現像剤）
【図１】
2019128504.tif 000004
【図２】
2019128504.tif 000005
【図３】
2019128504.tif 000006
【図４】
2019128504.tif 000007
【図５】
2019128504.tif 000008
【図６】
2019128504.tif 000009
【図７】
2019128504.tif 000010
【図８】
2019128504.tif 000011